(57)【要約】      （修正有）【課題】作業靴を短時間で効率良く殺菌が可能な靴用殺菌装置を提供する。【解決手段】靴用殺菌装置１０は、上面に作業靴を挿入可能な開口部２２を設けたケーシング２０と、前記ケーシング２０の内部で波長１８５ｎｍと、照度数十ｍＷ／ｃｍ２以上の波長２５４ｎｍの紫外線を照射可能な紫外線照射手段３０と、前記ケーシング２０の内部で塩素成分を含むミストを噴霧可能な噴霧手段４０と、を備える。ケーシング２０は、開口部２２の下部にグレーチング２４を設けている。グレーチング２４は、所定寸法の孔を複数等間隔に配置して網状に形成されたものであり、作業靴の靴底と接触する。またグレーチング２４は、殺菌消毒を行う作業者の体重を支える所定の強度を備えている。ケーシング２０には、グレーチング２４の下方に紫外線照射手段３０を取り付けている。そして開口部２２とグレーチング２４の間には、紫外線照射手段３０と、噴霧手段４０を取り付けている。【選択図】図１
0003195890.tif 000002
【実用新案登録請求の範囲】
【請求項１】
上面に作業靴を挿入可能な開口部を設けたケーシングと、
前記ケーシングの内部で波長１８５ｎｍと、照度数十ｍＷ／ｃｍ２以上の波長２５４ｎｍの紫外線を照射可能な紫外線照射手段と、
前記ケーシングの内部で塩素成分を含むミストを噴霧可能な噴霧手段と、
を備えたことを特徴とする靴用殺菌装置。
【請求項２】
前記ケーシングは、前記作業靴の靴底と接するグレーチングを備え、
前記紫外線照射手段は、前記グレーチングの下から前記作業靴の靴底に向けてオゾンを発生させることを特徴とする請求項１に記載の靴用殺菌装置。
【請求項３】
前記紫外線照射手段は、アマルガムランプを用いることを特徴とする請求項１又は２に記載の靴用殺菌装置。
【考案の詳細な説明】
【技術分野】
【０００１】
本考案は、高清浄度が求められる医療、食品分野などにおいて作業者が着用する作業靴を殺菌消毒する靴用殺菌装置に関する。
【背景技術】
【０００２】
病院などの医療施設では、各種ウィルス・細菌等による院内感染を予防するため、消毒液を散布して医療器具や設備の洗浄を行っている。同様に食品工場でも、製造設備、室内の殺菌消毒を行うほか、作業者の衛生管理も求められている。
従来の殺菌消毒の手段としては、所定濃度に調整された次亜塩素酸ナトリウム水溶液を殺菌対象に供給して殺菌消毒が行われている。また、紫外線ランプを点灯して室内を浮遊する細菌等に紫外線を照射させて死滅させる殺菌が行われている。
【０００３】
特許文献１に開示の殺菌装置は、消毒室に挿入された人体の一部を検出して、電解水を霧状に散布し、温風を消毒室内に吹出している。このとき、紫外線ランプから紫外線を照射させて殺菌を行っている。
【先行技術文献】
【特許文献】
【０００４】
【特許文献１】特開平１１−２４１３８１号公報
【考案の概要】
【考案が解決しようとする課題】
【０００５】
しかしながら、特許文献１に開示の紫外線ランプは、μＷ／ｃｍ２単位の照度であるため、照度が弱く殺菌時間に数十分掛かり、短時間で十分に殺菌することができないという問題があった。また、消毒室の一方向（上方）から紫外線を照射しているため、ランプから直進方向へ照射した箇所に対しての殺菌は有効であるが、人体の一部のような立体形状の下面側（影部分）には紫外線が照射されず殺菌消毒できないという問題があった。特に作業靴の靴底は床面と直に接触するため、汚染されやすい箇所であり、注意しなければ殺菌消毒漏れを生じるおそれがあった。
【０００６】
上記従来技術の問題点に鑑み、本考案は作業靴を短時間で効率的に殺菌消毒することができる靴用殺菌装置を提供することを目的としている。
【課題を解決するための手段】
【０００７】
本考案は、上記課題を解決するための第１の手段として、上面に作業靴を挿入可能な開口部を設けたケーシングと、前記ケーシングの内部で波長１８５ｎｍと、照度数十ｍＷ／ｃｍ２以上の波長２５４ｎｍの紫外線を照射可能な紫外線照射手段と、前記ケーシングの内部で塩素成分を含むミストを噴霧可能な噴霧手段と、を備えたことを特徴とする靴用殺菌装置を提供することにある。
【０００８】
本考案は、上記課題を解決するための第２の手段として、前記第１の解決手段において、前記ケーシングは、前記作業靴の靴底と接するグレーチングを備え、前記紫外線照射手段は、前記グレーチングの下から前記作業靴の靴底に向けてオゾンを発生させることを特徴とする靴用殺菌装置を提供することにある。
【０００９】
本考案は、上記課題を解決するための第３の手段として、前記第１又は第２の解決手段において、前記紫外線照射手段は、アマルガムランプを用いることを特徴とする靴用殺菌装置を提供することにある。
【考案の効果】
【００１０】
上記構成による本考案によれば、照度数十ｍＷ／ｃｍ２以上の波長２５４ｎｍの紫外線を照射しているので、作業靴を短時間で殺菌消毒することができる。また、開口部から作業者が作業靴を着用した状態で両足を挿入するだけの作業で容易に殺菌消毒を行うことができる。
【００１１】
上記構成による本考案によれば、作業靴の靴底に対して、グレーチングの下面で発生させたオゾンを接触させているので、靴底の殺菌消毒漏れを防止することができる。
上記構成による本考案によれば、高い照度の波長２５４ｎｍを発生させることができ、数十秒と短時間で作業靴を殺菌消毒することができる。
【図面の簡単な説明】
【００１２】
【図１】本考案の靴用殺菌装置の斜視図である。
【図２】本考案の靴用殺菌装置の側面の断面図である。
【考案を実施するための形態】
【００１３】
本考案の靴用殺菌装置の実施形態を添付の図面を参照しながら、以下詳細に説明する。本考案の殺菌消毒対象としているのは、細菌、ウィルスなどである。
【００１４】
［靴用殺菌装置１０］
図１は本考案の靴用殺菌装置の斜視図である。図２は本考案の靴用殺菌装置の側面の断面図である。図示のように本考案の靴用殺菌装置１０は、ケーシング２０と、紫外線照射手段３０と、噴霧手段４０を主な基本構成としている。
【００１５】
［ケーシング２０］
ケーシング２０は、後述する紫外線照射手段３０と噴霧手段４０を収容する箱状の容器である。ケーシング２０は、上面に作業靴１２を内部へ挿入可能な開口部２２が設けられている。またケーシング２０は、作業靴１２を着用した作業者がケーシング２０の外側から立った状態で両足を開口部２２へ挿入できる高さ寸法に設定されている。なお、ケーシング２０は製造工場の殺菌消毒スペースなどへ持ち運びを容易とする簡易な構成を採用すると良い。
【００１６】
ケーシング２０は、開口部２２の下部にグレーチング２４を設けている。グレーチング２４は、所定寸法の孔を複数等間隔に配置して網状に形成されたものであり、作業靴１２の靴底と接触する。またグレーチング２４は、殺菌消毒を行う作業者の体重を支える所定の強度を備えている。
ケーシング２０には、グレーチング２４の下方に紫外線照射手段３０を取り付けている。そして開口部２２とグレーチング２４の間には、紫外線照射手段３０と、噴霧手段４０を取り付けている。
このようなケーシング２０は、材質に塩素成分を含むミストに対して耐腐食性能を備えた材質が望ましく、一例としてステンレス鋼などを用いることができる。
なお、開口部２２には、ケーシング２０内に出し入れする作業靴を検出可能なセンサーを設けて、検出信号を後述する紫外線照射手段および噴霧手段に送信するように構成することもできる。
【００１７】
［紫外線照射手段３０］
本考案の紫外線照射手段３０は、波長１８５ｎｍ、２５４ｎｍの紫外線を照射可能なものであり、一例としてアマルガムランプを用いている。
アマルガムランプは、円筒形状の石英管の内部に、不活性ガスとアマルガム合金を封入した低圧ランプである。
本実施形態の石英管は、材質に合成石英ガラスを用いており、軸方向の両端に一対の電極を備え、内部に後述するアマルガム合金及び不活性ガスの混合ガスを低圧力で封入している。
【００１８】
アマルガム合金は、水銀と金属の合金であり、本実施形態では一例として、インジウムと水銀の合金を用いている。このようなアマルガム合金は、石英管の端部から中心に向けて所定長さの内壁に２カ所溶着している。なお、アマルガム合金を構成する水銀に組み合わせる金属は、インジウムのほかにも波長２５４ｎｍ、１８５ｎｍの紫外線を照射可能であれば、種々の金属を用いることができる。
不活性ガスは、複数の不活性ガスを混合したものであり、本実施形態では一例としてアルゴンとネオンの混合ガスを用いている。なお、アルゴンガスとネオンガスの混合比は、種々の割合に設計変更できる。
【００１９】
このような構成のアマルガムランプは、一対の電極間に電圧を印加すると、不活性ガスを放電加熱して、アマルガム合金を溶融し、放電電子がアマルガム合金を励起して、低圧水銀ランプと同様に、波長２５４ｎｍ、１８５ｎｍを主波長とする紫外線を発光し、波長３６５ｎｍの紫外線をわずかながら発光する。また波長２５４ｎｍの紫外線は、照度が６０〜８０ｍＷ／ｃｍ２、換言すると数十ｍＷ／ｃｍ２である。アマルガムランプは、低圧水銀ランプと比べて、長時間照射により加熱されても、紫外線の発光強度が低下して不安定になるなどの影響がなく、安定した紫外線照射を行うことができる。なおかつ雰囲気（環境）温度が高温多湿（温度８０℃以上、湿度８０％以上）の条件下でも、波長２５４ｎｍの紫外線の減衰がなく、安定した紫外線の照射を行うことができる。なお、アマルガムランプは、紫外線照射対象物（作業靴等）又はケーシング２０の形状に応じて、長さ寸法（長手方向の長さ）を任意に設計変更できる。
【００２０】
本実施形態の紫外線照射手段３０は、一例として、グレーチング２４の下段で、対向する一対の側面に沿って２本（照射面を上向き）、開口部２２とグレーチング２４の間の４つの側面に沿って４本（照射面を内側中心向き）のアマルガムランプを取り付けている。
【００２１】
このような構成の紫外線照射手段３０は、グレーチング２４の下面に配置したアマルガムランプの波長１８５ｎｍの紫外線により発生したオゾン（Ｏ３）をグレーチングの網目を介して作業靴１２の靴底に接触させることができる。また、オゾンと２５４ｎｍの紫外線の反応により活性酸素も発生する。活性酸素の酸化作用によって殺菌消毒することができる。さらに波長２５４ｎｍの紫外線により、核酸（ＤＮＡ又はＲＮＡ）に損傷を与えることでウィルス、微生物等を不活性化して死滅させることができる。
また、開口部２２とグレーチング２４の間の４側面に配置したアマルガムランプから波長２５４ｎｍの紫外線を中心の作業靴１２に向けて照射させて殺菌消毒することができる。また、生成したオゾンは、ケーシング２０内のミスト雰囲気下により、開口部から外部に漏れるおそれがない。
なおアマルガムランプの設置数は、これに限らず、グレーチング２４の下面に１本、グレーチング２４と開口部２２の間に１本配置して、作業靴１２を着用した作業者がケーシング２０内で万遍なく紫外線が照射されるようにグレーチング２４上で作業靴１２の向きを変えるようにしてもよい。
【００２２】
［噴霧手段４０］
噴霧手段４０は、塩素成分を含むミストを生成し、ケーシングの内部に噴霧するものである。
本考案の具体的な塩素成分を含むミストは、一例として次亜塩素酸ナトリウム（ＮａＨＣｌ）水溶液など、好気性細菌（大腸菌類、サルモネラ菌）を殺菌可能な殺菌消毒液を用いることができる。この他、ミストに好気性細菌を殺菌可能なアルコールを用いても良い。本実施形態の噴霧手段によれば、粒径の細かいミストにより空気を遮断し酸欠状態を形成して好気性細菌を主に殺菌することができる。
【００２３】
噴霧手段４０は、貯水タンクと、制御盤と、加圧ポンプと、給水管４２と、ノズル４４を主な基本構成としている。
貯水タンクとケーシング２０を接続する給水管４２上に加圧ポンプ、薬液混入機を取り付けている。給水管４２にはノズル４４が取り付けられている。本実施形態のノズルは、ノズル径０．１ｍｍ以下を用いている。このとき加圧ポンプの圧力は７ＭＰａ以下に設定している。このようなノズルは、１μｍ以下の粒径のミストを噴霧することができる。このミストは粒子が極めて細かく、ノズルから５０ｃｍ離れた箇所では、ドライな状態を維持できる。このため、本実施形態では、作業靴とノズルの間の距離を５０ｃｍ確保できるようにしている。そして、ケーシング内をドライな状態に維持することにより、細菌、微生物の増殖を防止できる。給水管４２は、開口部２２の内側に枠状に取り付けられ、下方に向けてノズル４４も枠状に形成されている。制御盤は加圧ポンプと電気的に接続している。このような噴霧手段４０は、例えば制御盤であらかじめ稼働時間をタイマー等で設定しておく。設定時刻になると、加圧ポンプが稼働して所定濃度及び所定量の塩素成分を含むミストがノズル４４を介してケーシング２０内へ自動供給される。なお、このほかにも開口部２２に設けたセンサーの作業靴１２を検出する検出信号に基づいて、所定濃度及び所定量のミストをケーシング２０内へ噴霧するように制御することもできる。このような構成の噴霧手段４０により、開口部２２の内周からケーシング２０の内部中心へ向けて塩素成分を含むミストを噴霧させることができる。
【００２４】
［作用］
上記構成による本考案の靴用殺菌装置１０の作用について以下説明する。
作業靴１２を装着した作業者は、室内の殺菌消毒スペースに配置された装置の開口部２２へ、立った状態で両足の作業靴をケーシング２０内へ挿入する。
グレーチング２４の下面に配置した紫外線照射手段３０により波長１８５ｎｍの紫外線が照射されるとオゾンが生成する。生成したオゾンは拡散し、グレーチング２４を介して作業靴１２の靴底に接触する。オゾンは靴底に付着した細菌等を死滅させて殺菌消毒することができる。このとき波長２５４ｎｍの紫外線（殺菌線）も同時に発生している。作業靴の靴底はグレーチングを介して発生した殺菌線により、ウィルス、細菌等を殺菌消毒することもできる。
【００２５】
グレーチング２４と開口部２２の間の側面に配置された紫外線照射手段３０により、数十ｍＷ／ｃｍ２と高い照度の波長２５４ｎｍの紫外線（殺菌線）が作業靴１２の表面に照射されて数十秒と極めて短時間の間で殺菌消毒することができる。このとき波長１８４ｎｍの紫外線によりオゾンも発生している。作業靴の表面はこのオゾンにより殺菌消毒することもできる。
また、グレーチング２４と開口部２２の間では噴霧手段４０により塩素成分を含む粒径１μｍ以下のミストがケーシング２０内の作業靴１２の表面に噴霧されて細菌を殺菌消毒することができる。このとき、ケーシング内は、粒径の極めて細かいミストによりドライな状態を維持しながら殺菌できるため、ウェット状態における細菌の増殖が起こらない。なお、ケーシング内で残留するオゾンは、所定時間経過後に内部で酸素に還元される。また塩素成分を含むミストの雰囲気下により、開口部の外部へ漏れるおそれがない。
作業者は、作業靴を装着したまま装置へ作業靴を挿入するだけで、数十秒と短時間で殺菌消毒することができる。
【００２６】
このような本考案の靴用殺菌装置によれば、細菌等を殺菌可能な高い照度数十ｍＷ／ｃｍ２以上の波長２５４ｎｍの紫外線を照射しているので、作業靴を数十秒と極めて短時間で殺菌消毒を行うことができる。また、開口部から作業者が作業靴を着用した状態で両足を挿入するだけの作業で、靴底を含む作業靴のあらゆる面の殺菌消毒を容易に行うことができる。
【産業上の利用可能性】
【００２７】
本考案は、製薬、食品などの製造現場、医療施設で使用される作業靴用の殺菌装置として有用である。
【符号の説明】
【００２８】
１０………殺菌装置、１２………作業靴、２０………ケーシング、２２………開口部、２４………グレーチング、３０………紫外線照射手段、４０………噴霧手段、４２………給水管、４４………ノズル。
【図１】
0003195890.tif 000003
【図２】
0003195890.tif 000004
【手続補正書】
【提出日】平成26年11月26日(2014.11.26)
【手続補正１】
【補正対象書類名】実用新案登録請求の範囲
【補正対象項目名】全文
【補正方法】変更
【補正の内容】
【実用新案登録請求の範囲】
【請求項１】
上面に作業靴を挿入可能な開口部を設けたケーシングと、
前記ケーシングの内部で波長１８５ｎｍと、照度６０〜８０ｍＷ／ｃｍ２の波長２５４ｎｍの紫外線を照射可能な紫外線照射手段と、
前記ケーシングの内部で塩素成分を含むミストを噴霧可能な噴霧手段と、
を備えたことを特徴とする靴用殺菌装置。
【請求項２】
前記ケーシングは、前記作業靴の靴底と接するグレーチングを備え、
前記紫外線照射手段は、前記グレーチングの下方に照射面を上向きに配置したアマルガムランプであり、前記作業靴の靴底に向けて前記波長１８５ｎｍの紫外線によりオゾンを発生させることを特徴とする請求項１に記載の靴用殺菌装置。
【請求項３】
前記紫外線照射手段は、アマルガムランプを用いることを特徴とする請求項１に記載の靴用殺菌装置。
【手続補正２】
【補正対象書類名】明細書
【補正対象項目名】０００７
【補正方法】変更
【補正の内容】
【０００７】
本考案は、上記課題を解決するための第１の手段として、上面に作業靴を挿入可能な開口部を設けたケーシングと、前記ケーシングの内部で波長１８５ｎｍと、照度６０〜８０ｍＷ／ｃｍ２の波長２５４ｎｍの紫外線を照射可能な紫外線照射手段と、前記ケーシングの内部で塩素成分を含むミストを噴霧可能な噴霧手段と、を備えたことを特徴とする靴用殺菌装置を提供することにある。
【手続補正３】
【補正対象書類名】明細書
【補正対象項目名】０００８
【補正方法】変更
【補正の内容】
【０００８】
本考案は、上記課題を解決するための第２の手段として、前記第１の解決手段において、前記ケーシングは、前記作業靴の靴底と接するグレーチングを備え、前記紫外線照射手段は、前記グレーチングの下方に照射面を上向き配置したアマルガムランプであり、前記作業靴の靴底に向けて前記波長１８５ｎｍの紫外線によりオゾンを発生させることを特徴とする靴用殺菌装置を提供することにある。
【手続補正４】
【補正対象書類名】明細書
【補正対象項目名】０００９
【補正方法】変更
【補正の内容】
【０００９】
本考案は、上記課題を解決するための第３の手段として、前記第１の解決手段において、前記紫外線照射手段は、アマルガムランプを用いることを特徴とする靴用殺菌装置を提供することにある。